(57)【要約】      （修正有）【課題】ポールに対して支柱部の外側が略直角に当接した際であっても、フックを容易に回動させることができる、衣服ハンガーを提供する。【解決手段】衣服ハンガーは、ハンガー本体１に対して水平方向に回動可能なフック部２を備える。フック部２は、ハンガー本体１に回動可能に軸支される回動部２１と、回動部２１の回動軸上から離れた上下方向の支柱部２２と、ポールＰに吊り掛ける吊掛部２３と、ポールＰを通す開口部の上端となる先端部２４との順に一体に形成され、支柱部２２が、回動部２１と吊掛部２３と先端部２４を通る平面である開口面ＯＳから離れている。【選択図】図４
0003225645.tif 000002
【実用新案登録請求の範囲】
【請求項１】
衣服を吊るすハンガー本体と、該ハンガー本体に対して水平方向に回動可能なフック部と、を備える衣服ハンガーであって、
該フック部は、略半円弧形状をなし、該ハンガー本体に回動可能に軸支される回動部と、該ハンガー本体を懸架する支柱部と、ポールに吊り掛ける吊掛部と、該ポールを通す開口部の上端となる先端部と、の順に一体に形成され、
該支柱部が、該回動部と該吊掛部と該先端部を通る平面である開口面から離れていることを特徴とする衣服ハンガー。
【請求項２】
前記回動部と前記支柱部と前記吊掛部を通る平面である支柱面と前記開口面のなす角度が、１〜９０°であることを特徴とする請求項１に記載の衣服ハンガー。
【請求項３】
前記支柱部の外側の面が曲面であることを特徴とする請求項１に記載の衣服ハンガー。
【考案の詳細な説明】
【技術分野】
【０００１】
本考案は、衣服を吊るすハンガー本体に対して水平方向に回動可能なフック部を備える衣服ハンガーに関する。
【背景技術】
【０００２】
衣服ハンガーは、洋服などの衣服をハンガー本体に吊るしてタンス内のポールに吊り掛けて衣服を収納する際や、洗濯後の濡れた衣服を物干し竿（クロスポール）などに掛けて衣服を乾かす際などに使用される。衣服ハンガーのフック部は、左右の一方側に、ポールに吊り掛ける吊掛部にポールを通す開口部を有する側と、他方側に、ハンガー本体と吊掛部とを連結する支柱部を有する側とがあり、支柱部を有する側からは吊掛部にポールを通すことができない。これに対して、衣服を吊るすハンガー本体に対して水平方向に回動可能なフック部を備える衣服ハンガーが知られ、従来、下記特許文献１において、フック部の外周に凹み部を有し、水平方向に回動可能なフック部を備える衣服ハンガーが知られている。この衣服ハンガーは、支柱部を有する側が吊り掛けるポールの方向側に向いている場合であっても、フック部の外周の凹み部にポールが当接することで、容易にフックを回動させ、開口部側をポールの方向側に向けることができるため、取扱性に優れるものとしている。
【先行技術文献】
【特許文献】
【０００３】
【特許文献１】特開２０１８−０５０６７２号公報
【考案の概要】
【考案が解決しようとする課題】
【０００４】
しかしながら、従来の水平方向に回動可能なフック部を備える衣服ハンガーは、支柱部を有する側が吊り掛けるポールの方向側に向き、ポールに対して支柱部の外側が略直角に当接した際には、フックが回動せず、開口部側をポールの方向側に向けることができないという課題があった。
【０００５】
本考案は、上述の点に鑑みてなされたものであり、ポールに対して支柱部の外側が略直角に当接した際であっても、フックを容易に回動させることができる、衣服ハンガーを提供することを目的とする。
【課題を解決するための手段】
【０００６】
本考案に係る衣服ハンガーは、衣服を吊るすハンガー本体と、該ハンガー本体に対して水平方向に回動可能なフック部と、を備える衣服ハンガーであって、
該フック部は、略半円弧形状をなし、該ハンガー本体に回動可能に軸支される回動部と、該ハンガー本体を懸架する支柱部と、ポールに吊り掛ける吊掛部と、該ポールを通す開口部の上端となる先端部と、の順に一体に形成され、
該支柱部が、該回動部と該吊掛部と該先端部を通る平面である開口面から離れていることを特徴とする。
【０００７】
本考案に係る衣服ハンガーによれば、フック部は、支柱部が、回動部と吊掛部と先端部を通る平面である開口面から離れているため、フック部の質量中心が開口面から離れている。このため、ポールに対して開口面の支柱部の側が略直角に当接した際であっても、フック部の質量中心の偏りから、フック部を容易に回動させることができる。
【０００８】
ここで、上記衣服ハンガーにおいて、前記回動部と前記支柱部と前記吊掛部を通る平面である支柱面と前記開口面のなす角度が、１〜９０°であるものとすることができる。
【０００９】
これによれば、フック部の質量中心が開口面から離れ、ポールに対して支柱部側の開口面が略直角に当接した際であっても、フック部の質量中心の偏りから、フック部を容易に回動させることができる。
【００１０】
また、上記衣服ハンガーにおいて、前記支柱部の外側の面が曲面であるものとすることができる。
【００１１】
これによれば、支柱部の外側の面が曲面であるため、ポールに対して支柱部の外側当接した際に、フック部を容易に回動させることができる。
【考案の効果】
【００１２】
本考案の衣服ハンガーによれば、フック部は、支柱部が、回動部と吊掛部と先端部を通る平面である開口面から離れているため、フック部の質量中心が開口面から離れている。このため、ポールに対して支柱部側の開口面が略直角に当接した際であっても、フック部の質量中心の偏りから、フック部を容易に回動させることができる。
【図面の簡単な説明】
【００１３】
【図１】Ａは本考案の実施形態の衣服ハンガーの正面図、Ｂはその平面図、Ｃはその右側面図である。
【図２】同衣服ハンガーの分解正面図である。
【図３】Ａはフック部の正面図、Ｂはその平面図、Ｃはその右側面図である。
【図４】Ａはポールに対して支柱部側の開口面が当接する状態の正面側からの斜視図、Ｂはポールに対して支柱部側の開口面が直角に当接する状態の平面図、Ｃはポールに対して支柱部側の支柱面が直角に当接する状態の平面図である。
【考案を実施するための形態】
【００１４】
以下、本考案に係る衣服ハンガーを図面に基づいて説明する。衣服ハンガーは、洋服などの衣服をハンガー本体１に吊るしてタンス内のポールＰに吊り掛けて衣服を収納する際や、洗濯後の濡れた衣服を物干し竿（クロスポール）のポールＰなどに掛けて衣服を乾かす際などに使用される。
【００１５】
衣服ハンガーは、図１に示すように、衣服を吊るすハンガー本体１と、ハンガー本体１に対して水平方向に回動可能なフック部２と、を備える。フック部２は略半円弧形状をなしている。フック部２は、図３に示すように、ハンガー本体１に回動可能に軸支される回動部２１と、ポールＰに吊り掛ける吊掛部２３と、回動部２１と吊掛部２３とを連結する支柱部２２と、吊掛部２３の先端でありポールＰを通す開口部ＯＰの上端となる先端部２４と、を備える。フック部２は、支柱部２２が、回動部２１と吊掛部２３と先端部２４を通る平面である開口面ＯＳから離れて形成されている。なお、本明細書において、衣服ハンガーの向きは、図１Ａに示すように、前後方向のポールＰに掛けた状態で、左右に張り出たハンガー本体１を正面から見たときの上下左右を示し、図示で使用する、ＦＲは前、ＲＥは後、ＵＰは上、ＤＯは下、ＬＥは左、ＲＩは右を示す。なお、フック部２は、ハンガー本体１に対して水平方向に回動するものであるが、左右を定める場合には、図１Ａに示すように、開口部ＯＰ側を左とし、支柱部２２側を右とする。また、衣服ハンガーの前後は、図１Ｂに示すように、後述するズボン吊り１３が膨出した側が後であり、その逆が前である。
【００１６】
ハンガー本体１は、図１Ａに示すように、フック部２を軸支する軸受部１１ａを有する頭部１１と、頭部１１からそれぞれ下方向に傾斜しながら左右に張り出すそれぞれの肩部１２と、左右の肩部１２のそれぞれの末端を左右水平方向に連結するズボン吊り１３と、から形成される。ハンガー本体１は、頭部１１を頂点、左右の肩部１２を辺、ズボン吊り１３を底辺、とする略二等辺三角形の形体であり、左右それぞれの肩部１２が衣服の肩部分を支持することによって衣服を吊るす。
【００１７】
左右それぞれの肩部１２の略中間部には、肩部１２から内側に分岐し、肩部１２と略平行の上方向に屈曲され、上方が開口し略コ字形状となる、肩紐掛１４が形成される。肩紐掛１４には、肩部分が肩紐からなる衣服を吊るすことができる。
【００１８】
ズボン吊り１３は、背広上下などの衣服をハンガー本体１に吊るしてタンス内のポールＰに吊り掛けて衣服を収納する際に、上着と同時に、二つ折りにしたズボンをズボン吊り１３に吊るすことにより、背広上下を収納可能とするものである。ズボン吊り１３は、図１Ｂに示すように、後方に膨出し、ハンガー本体に吊り掛けた衣服の背中部分に生じる縦方向（上下方向）の皺の発生を抑制することができる。
【００１９】
略二等辺三角形のハンガー本体１の頂点部分となる、左右それぞれの肩部１２が交わる部分には、フック部２の回動部２１を回動可能に軸支する上下方向の孔からなる軸受部１１ａを備える頭部１１が、備えられている。
【００２０】
フック部２は、図３に示すように、略半円弧形状であり、ハンガー本体１に回動可能に軸支される回動部２１と、回動部２１の回動軸ＲＡ上から右に離れてハンガー本体１を懸架する支柱部２２と、ポールＰに吊り掛ける吊掛部２３と、ポールＰを通す開口部ＯＰの上端となる先端部２４とが、この順に一体に形成される。吊掛部２３は、回動軸ＲＡの延長上に配置され、衣服ハンガーがポールＰに吊り掛けられた際の左右のバランスが保たれる。
【００２１】
回動部２１の下側には、ハンガー本体１の頭部１１の軸受部１１ａに回動可能に軸支される１対の軸部２１ａが形成される。軸部２１ａは、図３Ａに示すように、下側が左右に分離して形成され、それぞれの下端部に外側に突出する係止爪２１ｂが形成されている。それぞれの軸部２１ａを内側に撓ませ、軸受部１１ａの孔に挿通させ、係止爪２１ｂが軸受部１１ａの孔の外側に突出することにより、フック部２は、ハンガー本体１の頭部１１の軸受部１１ａに回動可能に軸支され、かつ、軸受部１１ａから不用意に外れることが防止される。
【００２２】
フック部２は、先端部２４から回動部２１方向の左下側が開口して、ポールＰを通す開口部ＯＰが形成され、回動部２１、吊掛部２３及び先端部２４並びに開口部ＯＰが同一平面の開口面ＯＳ上に点在している。
【００２３】
フック部２は、図３Ｂに示すように、支柱部２２が、開口面ＯＳから離れた後方に形成されている。これにより、フック部２の質量中心Ｃは、開口面ＯＳ上にはなく、開口面ＯＳから離れた位置に存在することになる。このため、衣服をハンガー本体１に吊るしてポールＰに吊り掛ける際に、開口部ＯＰがポールＰ側になく、ポールＰに対して開口面ＯＳの支柱部２２の側が直角に当接した場合であっても、フック部２の質量中心Ｃの偏りから、フック部２は質量中心Ｃ方向に回動するため、フック部２を容易に回動させることができる。
【００２４】
回動部２１と支柱部２２と吊掛部２３を通る平面を支柱面ＰＳとする。支柱面ＰＳは、支柱部２２が、開口面ＯＳから離れた後方に形成されているため、開口面ＯＳと同一平面状になく、開口面ＯＳと交差する。支柱面ＰＳと開口面ＯＳのなす角度ＤＡは、１〜９０°であることが好ましい。フック部２の質量中心Ｃが支柱面ＰＳから離れ、フック部２の質量中心Ｃの偏りから、ポールＰに対して開口面ＯＳの支柱部２２の側が直角に当接した場合であっても、フック部２を容易に回動させることができるためである。支柱面ＰＳと開口面ＯＳのなす角度ＤＡが１°未満である場合には、支柱面ＰＳと開口面ＯＳがほぼ平行となり、フック部２の質量中心Ｃの偏りがほぼ無く、フック部２を容易に回動させることができないおそれがある。一方、支柱面ＰＳと開口面ＯＳのなす角度ＤＡが９０℃を超える場合には、フック部２の質量中心Ｃの偏りから、フック部２を容易に回動させることができるものの、開口面ＯＳから支柱部２２が突出し、衣服をハンガーに吊るしてタンス内のポールＰに吊り掛けて衣服を収納する際や、衣服ハンガー自体を並べて収納する際に、前後方向の幅を要することとなり、それぞれの収納性がおとるおそれがある。より好ましくは、支柱面ＰＳと開口面ＯＳのなす角度ＤＡは、１０〜６０°であり、さらに好ましくは、２０〜４０°である。
【００２５】
開口部ＯＰの上下方向の長さＬ１は、図３Ａに示すように、フック部２の上下方向の長さＬ２（回動部２１と吊掛部２３との間の長さ）の０．５〜０．９倍の長さであることが好ましい。衣服ハンガーのポールＰへの吊り掛け性に優れるためである。開口部ＯＰの上下方向の長さＬ１がフック部２の上下方向の長さＬ２の０．５倍の長さ未満である場合には、開口部ＯＰが狭くポールＰへの吊り掛け性が劣るおそれがある。一方、０．９倍の長さを超える場合には、吊掛部２３から先端部２４の上下方向の長さが短くなり、衣服ハンガーがポールＰから落下しやすくなり、ポールＰへの吊り掛け性が劣るおそれがある。より好ましくは、開口部ＯＰの上下方向の長さＬ１は、Ｌ２の０．６〜０．８倍の長さであり、さらに好ましくは、０．６５〜０．７５倍の長さである。
【００２６】
フック部２を形成する回動部２１から支柱部２２、吊掛部２３及び先端部２４の側面は曲面であり、短手方向の断面は略円形である。フック部２の短手方向の断面が略円形であることによって、ポールＰに対してフック部２の外側（右側）が当接した際に、フック部２を容易に回動させることができる。なお、回動させることが必要な際に、ポールＰに当接するのは、支柱部２２の外側（右側）であるため、支柱部２２の外側の側面のみが曲面であれば、回動させるのにこと足りる。
【００２７】
支柱部２２は、ハンガー本体１を懸架する支柱であり、図３Ａに示すように、上下方向に、その上端が先端部２５と同じ高さに配置される。実施形態では、支柱部２２の直線状の部分の上下方向の長さＬ３は、図３Ａに示すように、開口部ＯＰの上下方向の長さＬ１の０．５倍の長さとした。なお、支柱部２２は、ポールＰに対して支柱部２２の外側（右側）が当接し、フック部２を回動させることができれば足りるものであり、回動部２１から支柱部２２及び吊掛部２３にかけて連続した円弧、つまりＬ３の長さとしては実質的にゼロとすることもできる。
【００２８】
ハンガー本体１及びフック部２は、それぞれの形状となる成形型枠を用いて、合成樹脂の射出成形により成形することができる。合成樹脂には、汎用のＰＶＣ（ポリ塩化ビニル樹脂）を使用した。
【００２９】
図２に示すように、形成されたハンガー本体１とフック部２は、フック部２の回動部２１の１対の軸部２１ａを、それぞれ内側に撓ませて、ハンガー本体１の頭部１１の軸受部１１ａの軸孔に嵌入させることによって、フック部２がハンガー本体１に回動可能に軸支される。軸部２１ａ下端の係止爪２１ｂが軸受部１１ａの軸孔の外側に突出することにより、フック部２がハンガー本体１から外れることを防止する。
【００３０】
次に、実施形態の衣服ハンガーの使用方法について説明する。衣服ハンガーの使用方法は、図４Ａに示すように、衣服ハンガーの右側からポールＰに吊り掛けようとするときを例にして説明する。
【００３１】
衣服ハンガーは、例えば、図４Ｂに示すように、フック部２の開口部ＯＰがポールＰ側（右側）になく、左側にあり、開口面ＯＳがポールＰに対して直角方向から当接する場合、支柱部２２の支柱面ＰＳから前側にずれた外側の面（線）がポールＰに当接する。このため、衣服ハンガーをさらに右側に移動させようとすると、フック部２は、後側に押されるように回動し、つまり、図４Ｂの平面図において反時計回りに回動し、開口部ＯＰがポールＰ側に移動し、衣服ハンガーをポールＰに吊り掛けることができる。
【００３２】
図４Ｃに示すように、フック部２の開口部ＯＰが左側にあり、支柱面ＰＳがポールＰに対して直角方向から当接する場合、支柱部２２の支柱面ＰＳにある面（線）がポールＰに当接する。このとき、フック部２の質量中心Ｃが支柱面ＰＳ（及び開口面ＯＳ）から離れているため、フック部２は、フック部２の質量中心Ｃの方向の後側に押されるように回動し、図４Ｃの平面図において反時計回りに回動し、開口部ＯＰがポールＰ側に移動し、衣服ハンガーをポールＰに吊り掛けることができる。
【００３３】
フック部２の開口部ＯＰが左側にあり、支柱面ＰＳがポールＰに対して直角方向から図４Ｃの平面図において時計回りに回動した状態で当接する場合には、フック部２は、時計回りに回動する。一方、支柱面ＰＳがポールＰに対して直角方向を含め反時計回りに回動した状態で当接する場合には、フック部２は、反時計回りに回動する。
【００３４】
フック部２の開口部ＯＰがポールＰ側にある状態であれば、フック部２を回動させることなく、ポールＰを開口部ＯＰから通し、吊掛部２３（フック部２）ひいては衣服ハンガーをポールＰに吊り掛けることができる。
【００３５】
また、実施形態の衣服ハンガーは、その構成を以下のような形態に変更しても実施することができる。
【００３６】
実施形態の意匠ハンガーでは、合成樹脂としてＰＶＣ（ポリ塩化ビニル）を用いた射出成形によって成形したが、合成樹脂は特に限定されるものではなく、ポリスチレン樹脂、アクリル樹脂、エポキシ樹脂、ウレタン樹脂又はこれらの共重合体などの汎用の合成樹脂も使用することができる。また、実施形態の意匠ハンガーは、鉄などの金属による成形、木材の加工による成形などによっても実施することができる。この場合において、軸受部１１ａと軸部２１ａは、汎用の部品で代用することもできる。
【００３７】
実施形態の意匠ハンガーでは、フック部２の回動部２１に１対の軸部２１ａを設け、軸部２１ａを内側に撓ませ、ハンガー本体１の頭部１１の軸受部１１ａに嵌入させて、係止爪２１ｂを軸受部１１ａの孔から突出させて、フック部２がハンガー本体１に対して回動可能に軸支される回動構造としたが、回動構造は、特に限定されるものではない。例えば、係止爪２１ｂを他部材による接着に替える構造や、フック部２側を軸受部とし、ハンガー本体１側を軸部とする構造なども取り得る。
【符号の説明】
【００３８】
１…ハンガー本体、２…フック部、１１…頭部、１１ａ…軸受部、１２…肩部、１３、…ズボン吊り、１４…肩紐掛、２１…回動部、２１ａ…軸部、２１ｂ…係止爪、２２…支柱部、２３…吊掛部、２４…先端部、Ｃ…質量中心、ＤＡ…角度、ＯＰ…開口部、ＯＳ…開口面、Ｐ…ポール、ＰＳ…支柱面、ＲＡ…回動軸。
【図１】
0003225645.tif 000003
【図２】
0003225645.tif 000004
【図３】
0003225645.tif 000005
【図４】
0003225645.tif 000006